(57)【要約】【課題】車両周辺状況と運転状況とに基づいて、安全であると判断できるタイミングで、ルート案内の報知やハンズフリー通話の着信通知および許可を行う車載機器制御装置、システムおよび方法を提供する。【解決手段】車載機器制御装置１００が、車両の周辺状況の情報を受信する周辺状況情報受信部５と、車両の運転状況の情報を受信する運転状況情報受信部６と、周辺状況情報と運転状況情報とに基づいて、車両の危険度を判定する危険度判定部７と、危険度判定部７により判定された危険度に基づいて、車両の運転者に情報を報知する報知機器の報知態様を変更制御する制御部９とを備えることにより、安全であると判断できるタイミングで、ルート案内を報知したりハンズフリー通話を許可することができ、危険な状況では、運転操作に注力することができるので、より安全な運転支援を行うことができる。【選択図】図１
2015169472.tif 000002
【特許請求の範囲】
【請求項１】
車両の周辺状況の情報を受信する周辺状況情報受信部と、
前記車両の運転状況の情報を受信する運転状況情報受信部と、
前記周辺状況情報受信部が受信した周辺状況情報と前記運転状況情報受信部が受信した運転状況情報とに基づいて、前記車両の危険度を判定する危険度判定部と、
前記危険度判定部により判定された危険度に基づいて、前記車両の運転者に情報を報知する報知機器の報知態様を変更制御する制御部と、
を備えたことを特徴とする車載機器制御装置。
【請求項２】
前記報知機器が、目的地までのルート案内処理を行うルート案内処理部を備えたナビゲーション装置、および、ハンズフリー通話処理を行うハンズフリー電話処理部を備えたハンズフリー通話機器であり、
前記ルート案内処理部または前記ハンズフリー電話処理部からトリガーを受信するトリガー受信部をさらに備え、
前記トリガー受信部が、前記ルート案内処理部から前記トリガーを受信した場合には、案内開始ポイントからルート案内地点の報知が終了するまでの間、前記周辺状況情報受信部および前記運転状況情報受信部はそれぞれ情報を取得し、
前記トリガー受信部が、前記ハンズフリー電話処理部から前記トリガーを受信した場合には、ハンズフリー電話の通話が終了するまでの間、前記周辺状況情報受信部および前記運転状況情報受信部はそれぞれ情報を取得する
ことを特徴とする請求項１記載の車載機器制御装置。
【請求項３】
前記報知機器は、ナビゲーション装置およびハンズフリー通話機器であり、
前記制御部は、前記ハンズフリー通話機器が前記ナビゲーション装置よりも前記危険度が高い状況で使用可能であるように、前記ハンズフリー通話機器の報知態様および前記ナビゲーション装置の報知態様を決定する
ことを特徴とする請求項１記載の車載機器制御装置。
【請求項４】
前記報知機器がナビゲーション装置である場合には、
前記制御部は、前記危険度が、前記ナビゲーション装置の第１の値以下のとき、前記ナビゲーション装置で音声および表示により前記情報を報知するよう制御する
ことを特徴とする請求項３記載の車載機器制御装置。
【請求項５】
前記制御部は、前記危険度が、前記ナビゲーション装置の第１の値よりも大きく、かつ、前記第１の値よりも大きい第２の値よりも小さいとき、前記ナビゲーション装置で音声のみにより前記情報を報知するよう制御する
ことを特徴とする請求項４記載の車載機器制御装置。
【請求項６】
前記制御部は、前記危険度が、前記ナビゲーション装置の第２の値以上のとき、前記ナビゲーション装置における目的地までのルート案内の報知を保留するよう制御する
ことを特徴とする請求項５記載の車載機器制御装置。
【請求項７】
前記制御部は、前記ルート案内の案内地点までの距離があらかじめ定められた距離以下のときに、前記ルート案内を音声により出力するよう制御する
ことを特徴とする請求項６記載の車載機器制御装置。
【請求項８】
前記報知機器がハンズフリー通話機器である場合には、
前記制御部は、前記危険度が、前記ハンズフリー通話機器の第１の値以下のとき、前記ハンズフリー通話機器を通話可能に制御する
ことを特徴とする請求項３記載の車載機器制御装置。
【請求項９】
前記制御部は、前記危険度が、前記ハンズフリー通話機器の第１の値よりも大きく、かつ、前記第１の値よりも大きい第２の値よりも小さいとき、前記ハンズフリー通話機器で着信がある旨と通話が不許可の状態である旨をあわせて報知するよう制御する
ことを特徴とする請求項８記載の車載機器制御装置。
【請求項１０】
前記制御部は、前記危険度が、前記ハンズフリー通話機器の第２の値以上のときは、前記ハンズフリー通話機器で着信があっても報知しないよう制御する
ことを特徴とする請求項９記載の車載機器制御装置。
【請求項１１】
前記制御部は、前記危険度が、前記第２の値より小さくなったときに前記着信が途切れていれば、前記着信があった旨を報知するよう制御する
ことを特徴とする請求項１０記載の車載機器制御装置。
【請求項１２】
車両の周辺状況を検知するセンサと、
前記車両の運転状況を検知するセンサと、
前記車両の周辺状況を検知するセンサから前記周辺状況の情報を受信する周辺状況情報受信部と、
前記車両の運転状況を検知するセンサから前記運転状況の情報を受信する運転状況情報受信部と、
前記周辺状況情報受信部が受信した周辺状況情報と前記運転状況情報受信部が受信した運転状況情報とに基づいて、前記車両の危険度を判定する危険度判定部と、
前記車両の運転者に情報を報知する報知機器と、
前記危険度判定部により判定された危険度に基づいて、前記報知機器の報知態様を変更制御する制御部と、
を備えたことを特徴とする車載機器制御システム。
【請求項１３】
周辺状況情報受信部が、車両の周辺状況の情報を受信するステップと、
運転状況情報受信部が、前記車両の運転状況の情報を受信するステップと、
危険度判定部が、前記周辺状況情報受信部が受信した周辺状況情報と前記運転状況情報受信部が受信した運転状況情報とに基づいて、前記車両の危険度を判定するステップと、
制御部が、前記危険度判定部により判定された危険度に基づいて、前記車両の運転者に情報を報知する報知機器の報知態様を変更制御するステップと、
を備えたことを特徴とする車載機器制御方法。
【発明の詳細な説明】
【技術分野】
【０００１】
この発明は、自動車等の車両において、ルート案内を行ったりハンズフリー電話の着信通知を行う車載機器制御装置、システムおよび方法に関するものである。
【背景技術】
【０００２】
従来より、右左折等のルート案内や道路交通情報を、音声や画面表示により運転者に提示する装置が知られている。例えば特許文献１には、道路交通情報を音声出力する装置において、表示内容情報が、運転者にとって重要な情報である判定され、かつ、運転者がそれを確認していないと判定された場合に、音声情報を所定時間だけ早めて出力することが記載されている。
【０００３】
また、近年では、自動車等の車両において、音声や画面表示により、右左折等のルート案内を行うだけではなく、運転中に電話着信があった場合にハンズフリー通話の着信通知を行ってハンズフリー通話を可能とする車載機器制御装置が知られている。
【０００４】
一般的に、ルート案内をする場合には、音声と画面表示により、ルート案内ポイントで（例えば、交差点の７００ｍ手前、３００ｍ手前、５０ｍ手前などのように段階的に）ルート案内を行っており、電話着信があった場合には、同じく音声と画面表示により、着信と同時にハンズフリーの着信通知を行って通話を可能にしている。
【先行技術文献】
【特許文献】
【０００５】
【特許文献１】特開２０１０−３９６８６号公報
【発明の概要】
【発明が解決しようとする課題】
【０００６】
しかしながら、ルート案内が行われた場合、運転者は、案内された内容を確認するためにカーナビの画面を注視してしまい、車両周辺状況や運転状況によっては危険となってしまう、という課題があった。また、着信時のハンズフリー通話においても、着信表示を注視してしまったり、着信や会話自体に意識を注いでしまい、車両周辺状況や運転状況によっては危険となってしまう、という課題があった。
【０００７】
この発明は、上記のような課題を解決するためになされたものであり、車両周辺状況と運転状況とに基づいて、安全であると判断できるタイミングで、ルート案内の報知やハンズフリー通話の着信通知および許可を行う車載機器制御装置、システムおよび方法を提供することを目的とする。
【課題を解決するための手段】
【０００８】
上記目的を達成するため、この発明の車載機器制御装置は、車両の周辺状況の情報を受信する周辺状況情報受信部と、前記車両の運転状況の情報を受信する運転状況情報受信部と、前記周辺状況情報受信部が受信した周辺状況情報と前記運転状況情報受信部が受信した運転状況情報とに基づいて、前記車両の危険度を判定する危険度判定部と、前記危険度判定部により判定された危険度に基づいて、前記車両の運転者に情報を報知する報知機器の報知態様を変更制御する制御部とを備えたことを特徴とする。
【発明の効果】
【０００９】
この発明によれば、安全であると判断できるタイミングで、ルート案内を報知したりハンズフリー通話を許可することができ、危険な状況では、運転操作に注力することができるので、より安全な運転支援を行うことができる。
【図面の簡単な説明】
【００１０】
【図１】実施の形態１における車載機器制御装置および車載機器制御システムの構成を示すブロック図である。
【図２】運転者が前方の対象物を目視している場合と目視していない場合の、自車両の速度と前方の対象物との距離に対応する危険度を示すテーブルの一例である。
【図３】実施の形態１における車載機器制御装置の処理を示すフローチャートである。
【図４】実施の形態１における車載機器制御装置の処理の別の例を示すフローチャートである。
【図５】ルート案内トリガーを受信した場合のルート案内処理を示すフローチャートである。
【図６】ハンズフリー電話着信トリガーを受信した場合のハンズフリー電話着信処理を示すフローチャートである。
【図７】ハンズフリー電話時の処理内容の遷移の一例を示す説明図である。
【図８】ルート案内時およびハンズフリー着信時における、危険状況範囲および安全状況範囲を示す説明図である。
【発明を実施するための形態】
【００１１】
以下、この発明の実施の形態について、図面を参照しながら詳細に説明する。
実施の形態１．
図１は、この発明の実施の形態１における車載機器制御装置および車載機器制御システムの構成を示すブロック図である。この車載機器制御システムは、車両周辺検知カメラ部１、センサ部２、ドライバ視線検知カメラ部３、車両状況通知部４、周辺状況情報受信部５、運転状況情報受信部６、危険度判定部７、危険度決定テーブル記憶部８、制御部９、ＧＰＳレシーバ１０、トリガー受信部１１、ルート案内処理部１２、ハンズフリー電話処理部１３、音声出力部１４、表示装置１５を備えている。
【００１２】
これらのうち、周辺状況情報受信部５、運転状況情報受信部６、危険度判定部７、危険度決定テーブル記憶部８、制御部９、トリガー受信部１１、ルート案内処理部１２およびハンズフリー電話処理部１３が、車載機器制御装置１００を構成し、この車載機器制御装置１００が、車両の様々な制御を行う。
【００１３】
また、車両の運転者に各種情報を報知する報知機器として、目的地までのルート案内処理を行うルート案内処理部１２を備えたナビゲーション装置、および、ハンズフリー通話処理を行うハンズフリー電話処理部１３を備えたハンズフリー通話機器を想定している。
【００１４】
車両周辺検知カメラ部１は、車両の周辺状況を検知するセンサの一種であり、１つもしくは複数台の前方検知カメラやバックカメラ、サイドカメラなどの車両周辺検知カメラを用いて、車両周辺の映像を取得し、周辺状況情報受信部５に通知する。
【００１５】
センサ部２は、車両の周辺状況を検知するセンサの一種であり、ミリ波レーダや超音波レーダ、レーザレーダなどを車体の前方や側方や後方に１つもしくは複数取り付け、車両周辺の車や人や軽車両、バイクなどの対象物の有無や車両と対象物との距離などの検知結果を周辺状況情報受信部５に通知する。
【００１６】
ドライバ視線検知カメラ部３は、車両の運転状況を検知するセンサの一種であり、１つもしくは複数台の光学カメラや赤外線カメラ、アイカメラなどにより運転者の顔の向きや眼球の動きを取得し、運転状況情報受信部６に通知する。
【００１７】
車両状況通知部４は、車両の運転状況を検知するセンサの一種であり、ギア信号や車速信号、バック信号、ブレーキ信号、ステアリング操舵角信号などのＣＡＮ（Ｃｏｎｔｏｒｏｌｌｅｒ  Ａｒｅａ  Ｎｅｔｗｏｒｋ）信号を取得し、運転状況情報受信部６に通知する。
【００１８】
周辺状況情報受信部５は、車両の周辺状況の情報を受信するものであり、具体的には、車両周辺検知カメラ部１から取り込んだ車両周辺の画像から画像解析を行い、画像解析結果と、センサ部２からの検知結果とを組み合わせ、車両周辺に、車両や人、軽車両、バイク、障害物などの有無を判定し、車両周辺に対象物の存在を確認すると、その対象物までの距離や方向を判定する。なお、その対象物が車両や人、軽車両、バイク等の移動体である場合、ウィンカー表示の有無や複数フレームのカメラ取得画像の画像解析により、移動方向について、現在どの方向に移動しているかや今後どの方向に移動しようとしているかを判定する。判定した車両周辺状況情報は、危険度判定部７に通知する。
【００１９】
運転状況情報受信部６は、車両の運転状況の情報を受信するものであり、具体的には、ドライバ視線検知カメラ３から取得した運転者の顔の向きや、両眼もしくは片眼の眼球の動きの画像から、運転者の顔の方向と視線方向を算出する。また、車両状況通知部４から取得したＣＡＮ情報から、走行方向や走行速度、停止中等の車両の状況や運転者の操作状況を判定する。判定した運転者の視線方向情報と車両状況情報からなる運転状況情報は、危険度判定部７に通知する。
【００２０】
危険度判定部７は、周辺状況情報受信部５が受信した周辺状況情報と運転状況情報受信部６が受信した運転状況情報とに基づいて、すなわち、周辺状況情報受信部５で算出した車両周辺状況情報と運転状況情報受信部６で判定された運転状況情報とを組み合わせ、車両の速度等の自車両の運転状況と前方の対象物との距離状況等の周辺状況から、自車両に起こり得る危険度を判定する。
【００２１】
この車両の危険度の判定には、例えば図２に示すような自車両の速度と前方車両等の対象物との距離により危険度のテーブルを、予め危険度決定テーブル記憶部８のＲＯＭに保持しておき、自車両の速度の前方車両等の対象物との距離に対応した危険度を取得し、現在の危険度とする。また、図２（ａ）および（ｂ）に示すように、運転者がその危険な状況を認識しているかどうかにより、危険度の設定を変更した別テーブルを用意し、視線方向情報から運転者がその危険な状況を認識している場合とそうでない場合に参照するテーブルを変更し、運転者が危険な状況を認識していない場合には、危険度が高くなるようにする。算出した危険度は、制御部９に通知する。
【００２２】
図２は、運転者が前方の対象物を目視している場合と目視していない場合の、自車両の速度と前方の対象物との距離に対応する危険度を示すテーブルの一例である。
なお、ここでは説明を簡単にするために、車両周辺状況情報としては、前方の対象物との距離のみを使用し、運転状況情報としては、自車両の速度のみを使用する場合を例に説明するが、他の情報（要因）を用いた場合であっても同様に、予め対応するテーブルを記憶しておくことにより、そのテーブルを参照して危険度を決定すればよい。
【００２３】
危険度決定テーブル記憶部８では、危険度判定部７で危険度を算出するために、例えば図２に示すような自車両の速度と前方車両等の対象物との距離と運転者の危険状況に対する認識の可否による危険度のテーブルを、予めＲＯＭに記憶しており、車両周辺状況情報と運転状況情報から、対応するテーブルの危険度を危険度判定部７が取得する。
なお、図２に示す危険度決定テーブルでは、車両の速度と前方の対象物との距離と運転者がその危険な状況を認識しているか否かにより、危険度を設定しているが、危険度決定テーブルを構成する要因については、前述のとおり、他の要因により危険度を設定してもよい。
【００２４】
制御部９は、トリガー受信部１１からトリガー情報が通知されると、周辺状況情報受信部５と運転状況情報受信部６に、車両周辺状況情報と運転状況情報を取得するように通知する。周辺状況情報受信部５と運転状況情報受信部６がそれぞれ車両周辺状況情報と運転状況情報を取得し、危険度判定部７に通知すると、危険度判定部７では、危険度を演算し、危険度が制御部９に通知される。
【００２５】
また、制御部９は、トリガー受信部１１から受け取ったトリガー情報から、トリガー要因がルート案内であるのか、ハンズフリー電話であるのかを判定する。
ルート案内の場合、トリガー情報からルート案内の種類（例えばここでは、７００ｍ手前、３００ｍ手前、５０ｍ手前のいずれかの種類とする）を取得し、ＧＰＳレシーバ１０から通知された現在位置情報と危険度判定部７で決定された危険度から、ルート案内を行うか否かを判定し、ルート案内を行う場合に、音声のみで行うのか、音声と表示を行うのかといった、ナビゲーション装置の報知態様を決定する。判定したルート案内方法は、ルート案内処理部１２に通知する。
【００２６】
一方、トリガー情報がハンズフリー電話であると判定した場合には、危険度判定部７で決定された危険度から、ハンズフリーの着信通知を許可するのかどうかを判定したり、着信通知を許可する場合に、さらに通話も許可するのか否かを判定するといった、ハンズフリー報知機器の報知態様を決定する。判定したハンズフリー電話の受信通知処理方法は、ハンズフリー電話処理部１３に通知する。
【００２７】
すなわち、制御部９は、危険度判定部７により判定された危険度に基づいて、車両の運転者の各種情報を報知する報知機器（ナビゲーション装置またはハンズフリー通話機器）の報知態様を変更制御するものである。
【００２８】
ＧＰＳレシーバ１０は、ＧＰＳ信号を受信し、自車両の現在位置情報を取得する。取得した現在位置情報は、制御部９とルート案内処理部１２に通知される。
【００２９】
トリガー受信部１１は、ルート案内ポイントに差し掛かると、ルート案内処理部１２からルート案内トリガーとルート案内内容を受信する。そして、ルート案内報知を完了すると、ルート案内処理部１２からルート案内報知完了トリガーを受信する。また、ハンズフリー電話の着信があると、ハンズフリー電話処理部１３からハンズフリー電話着信トリガーを受信する。そして、ハンズフリー電話の着信もしくは通話が終了すると、ハンズフリー電話処理部１３からハンズフリー電話終了トリガーを受信する。
【００３０】
そして、トリガー受信部１１は、これらのトリガーを受信すると、受信したトリガーの種類とルート案内トリガー受信時のルート案内内容とからなるトリガー情報を制御部９に通知する。
【００３１】
ルート案内処理部１２は、ＧＰＳレシーバ１０から取得した現在位置情報により、ルート案内ポイントに差し掛かると、ルート案内ポイントである旨を通知するルート案内トリガーと、そのルート案内ポイントがルート案内地点から７００ｍ手前の案内なのか、３００ｍ手前の案内なのか、５０ｍ手前の案内なのかの情報であるルート案内内容を、トリガー受信部１１に対して通知する。
【００３２】
ルート案内トリガーを通知後は、制御部９から通知されたルート案内方法に基づいて、ルート案内音声報知をする場合は、ルート案内音声データを音声出力部１４に送信する。また、ルート案内表示をする場合は、表示装置１５にルート案内表示データを送信する。
【００３３】
なお、７００ｍ手前と３００ｍ手前でのルート案内において、ルート案内報知が保留になったために、案内地点までの距離が変更になった場合は、ＧＰＳレシーバ１０から取得した現在位置情報に基づき、ルート案内音声報知とルート案内表示する案内地点までの距離を変更する。ルート案内報知完了後は、ルート案内報知が完了した旨を通知するルート案内報知完了トリガーを、トリガー受信部１１に対して通知する。
【００３４】
ハンズフリー電話処理部１３は、接続している携帯電話１６に着信があると、ハンズフリー電話に着信がある旨を通知するハンズフリー電話着信トリガーを、トリガー受信部１１に対して通知する。ハンズフリー電話着信トリガーを通知後は、制御部９から通知されたハンズフリー電話着信通知処理方法に基づいて、ハンズフリー電話の着信通知およびハンズフリー通話許可をする場合は、通常のハンズフリー電話の着信処理を行い、着信音声データおよび受信音声データを音声出力部１４に送信し、ハンズフリー電話の着信中画面や通話中画面データを表示装置１５に送信する。
【００３５】
ハンズフリー電話の着信通知は行うが、ハンズフリー通話を許可しない場合は、危険な状況での運転中のため通話を許可できない旨の案内音声データである通話不許可報知データを、車内スピーカと着信相手に報知するために、音声出力部１４および接続中の携帯電話１６に送信する。
【００３６】
ハンズフリー電話の着信通知も通話許可もしない場合は、音声出力部１４および表示装置１５にはデータ送信を行わない。ハンズフリー電話の着信通知を行わずに、着信が終了した場合は、危険度が回復したら、不在着信を通知する不在着信通知データを音声出力部１４および表示装置１５に通知する。
ハンズフリー電話の着信もしくは通話の終了後は、ハンズフリー電話の着信もしくは通話が終了した旨を通知するハンズフリー電話終了トリガーを、トリガー受信部１１に対して通知する。
【００３７】
音声出力部１４は、ルート案内処理部１２やハンズフリー電話処理部１３から送信された音声データを、車載スピーカ２０から出力させる。
表示装置１５は、ルート案内処理部１２やハンズフリー電話処理部１３から送信された画像データを、車載のカーナビやヘッドアップディプレイ等の表示装置に表示する。
【００３８】
ここで、車載機器制御装置１００の処理について、図３に示すフローチャートを用いて説明する。
図３は、この実施の形態１における車載機器制御装置１００の処理を示すフローチャートである。
【００３９】
まず初めに、車両の電源をＯＮにすると、イニシャライズ処理として、危険度判定部７は、危険度を０（ゼロ）に設定する（ステップＳＴ１）。
そして、制御部９は、トリガー受信部１１でトリガーが受信されたか否かを判定する（ステップＳＴ２）。トリガーが受信されていない場合、すなわち、案内ポイントに差し掛かっていなかったり、ハンズフリー電話の着信がない状況の場合（ステップＳＴ２のＮＯの場合）には、トリガーを受信するまで、制御部９は、処理を何も行わない。
【００４０】
トリガー受信部１１でトリガーを受信した場合（ステップＳＴ２のＹＥＳの場合）は、その受信したトリガーが、ルート案内トリガーか、ハンズフリー電話着信トリガーかを、制御部９に通知することにより、制御部９が、そのトリガーがルート案内トリガーかハンズフリー電話着信トリガーかを判定する（ステップＳＴ３）。
【００４１】
そして、ルート案内トリガーであると判定した場合（ステップＳＴ３のＹＥＳの場合）には、ルート案内処理を行い（ステップＳＴ４）、ハンズフリー電話着信トリガーであると判定した場合（ステップＳＴ３のＮＯの場合）には、ハンズフリー電話着信処理を行う（ステップＳＴ５）。
【００４２】
なお、この実施の形態１では、トリガーの種類としては、ルート案内トリガーとハンズフリー電話着信トリガーの２種類であるものとして、それらを組み合わせた実施例としているが、いずれか１つの機能のみに対応するものであってもよいし、図４に示すように、別のトリガーによるその他の処理（ステップＳＴ１０）を組み合わせてもよい。
【００４３】
ルート案内トリガーを受信した場合のルート案内処理（ステップＳＴ４）の詳細は、図５に示す。
制御部９は、トリガー受信部１１からルート案内トリガー情報を取得すると、ルート案内ポイントが、ルート案内地点から７００ｍ手前なのか、３００ｍ手前なのか、５０ｍ手前なのかの通知距離の判定を行う（ステップＳＴ１１、ＳＴ２１、ＳＴ３１）。
【００４４】
通知距離がルート案内地点から７００ｍ手前の案内の場合（ステップＳＴ１１のＹＥＳの場合）、制御部９は、周辺状況情報受信部５に周辺状況情報を取得させ、運転状況情報受信部６に運転状況情報を取得させる。
【００４５】
周辺状況情報受信部５は、制御部９から周辺状況情報の取得要求を受け取ると、車両周辺検知カメラ部１から車両周辺の映像を取得し、センサ部２からセンサ検知結果を取得し、車両周辺検知カメラ部１から取得した車両周辺映像の画像解析結果とセンサ部２からの検知結果とを組み合わせて、車両の周辺状況を取得する（ステップＳＴ１２）。具体的には、車両周辺に、他の車両や人、系車両、バイク、障害物などがあるか否かを判定し、車両周辺に対象物の存在を確認すると、その対象物までの距離や方向を算出する。
このようにして取得した車両の周辺状況情報は、危険度判定部７に通知される。
【００４６】
運転状況情報受信部６は、制御部９から運転状況情報の取得要求を受け取ると、ドライバ視線検知カメラ部３から運転者の顔画像を取得し、車両状況通知部４からＣＡＮ情報を取得し、取得した運転者の顔画像とＣＡＮ情報とを組み合わせて、車両の運転状況を取得する（ステップＳＴ１３）。具体的には、取得した運転者の顔画像から運転者の顔の方向と視線方向を算出し、ＣＡＮ情報から走行方向や走行速度、停止中等の車両の状況や運転者の操作状況を判定する。
このようにして判定した運転者の視線方向情報と車両状況情報とからなる運転状況情報は、危険度判定部７に通知される。
【００４７】
危険度判定部７は、周辺状況情報受信部５で算出された車両周辺状況情報と、運転状況情報受信部６で判定された運転状況情報とを組み合わせ、車両の速度等の自車両の運転状況と前方の対象物との距離状況等の周辺状況と、運転者の危険状況認識可否により、自車両に起こりうる危険度を判定する（ステップＳＴ１４）。危険度の判定には、図２に示すような危険度のテーブルを予め危険度決定テーブル記憶部８のＲＯＭに保持しておき、自車両の速度と前方車両等の対象物との距離と運転者が危険な状況を認識しているか否かに対応した危険度を取得し、現在の危険度とする。
このようにして判定した危険度は、制御部９に通知される。
【００４８】
制御部９は、取得した危険度に基づいて、ナビゲーション装置の報知態様、すなわち、ルート案内の通知を行うか否かや、ルート案内を通知する場合のルート案内方法を決定する。
この際、危険度の閾値としては、ナビゲーション装置の第１の値、第１の値より大きい第２の値を用いる。なお、ここでは、ナビゲーション装置の第１の値＝危険度０、ナビゲーション装置の第２の値＝危険度２が設定されているものとして説明する。
【００４９】
まず、危険度がナビゲーション装置の第２の値（＝危険度２）以上かどうかを判定し、第２の値（＝危険度２）以上の場合（ステップＳＴ１５のＹＥＳの場合）、ルート案内の案内地点までの距離があらかじめ定められた距離（ここでは、５００ｍとする）より遠いか否かを判定する（ステップＳＴ１６）。案内地点までの距離が５００ｍより遠い（あらかじめ定められた距離より大きい）場合、すなわち、危険度が高く、案内をしないと運転者に不都合が生じる可能性がある距離までに達していない状況（ステップＳＴ１６のＹＥＳの場合）では、制御部９は、ナビゲーション装置における目的地までのルート案内の報知を保留する（一時中止する）というルート案内方法に決定する（ステップＳＴ１７）。
【００５０】
一方、案内地点までの距離が５００ｍに達した（あらかじめ定められた距離以下の）場合、すなわち、危険度は高いが、案内としないと運転者に不都合が生じる可能性がある距離に達している状況（ステップＳＴ１６のＮＯの場合）では、制御部９は、ルート案内を音声のみにより出力するというルート案内方法に決定する（ステップＳＴ１８）。
【００５１】
また、危険度がナビゲーション装置の第１の値（＝危険度０）より大きく、第２の値（＝危険度２）より小さいかどうかを判定し、第１の値（＝危険度０）よりも大きく、かつ、第２の値（＝危険度２）よりも小さい場合、すなわち、危険度がやや高い状況（ステップＳＴ１９のＹＥＳの場合）では、制御部９は、ナビゲーション装置でのルート案内を音声のみにより行うルート案内方向に決定する（ステップＳＴ１８）。
【００５２】
一方、危険度が第１の値（＝危険度０）以下の場合、すなわち、危険度が高くない状況（ステップＳＴ１９のＮＯの場合）では、制御部９は、ルート案内を表示装置に表示するとともに、音声出力も行うというルート案内方法に決定する（ステップＳＴ２０）。
【００５３】
制御部９で決定したルート案内方法は、ルート案内処理部１２に通知される。
ルート案内処理部１２は、制御部９から通知されたルート案内方法に基づいて、ルート案内音声放置をする場合は、ルート案内音声データを音声出力部１４に送信する。また、ルート案内表示をする場合は、表示装置１５にルート案内表示データを送信する。
【００５４】
ルート案内報知完了後は、ルート案内報知が完了した旨を通知するルート案内報知完了トリガーを、トリガー受信部１１に対して通知する。
トリガー受信部１１は、トリガーを受信すると、制御部９に対してルート案内報知完了トリガーを受信したことを通知する。
【００５５】
制御部９は、ルート案内を保留中か否か判定する（ステップＳＴ３８）。前述の危険度の判定において、危険度が高くないか、危険度は高いが案内をしないと運転者に不都合が生じる可能性がある距離に達していた場合は、ルート案内を音声により出力、または、音声と表示により出力しているので（ステップＳＴ３８のＮＯの場合）、この処理は終了となる。一方、危険度が高く、案内をしないと運転者に不都合が生じる可能性がある距離まで達していない場合は、ルート案内を保留しているので（ステップＳＴ３８のＹＥＳの場合）、ステップＳＴ１１に戻って処理を繰り返す。
【００５６】
次に、制御部９がトリガー受信部１１から取得した通知距離が、ルート案内地点から３００ｍ手前の案内の場合（ステップＳＴ１１はＮＯ、ステップＳＴ２１はＹＥＳの場合）についても、まずは前述のステップＳＴ１２〜ＳＴ１４と同じ処理を行う（ステップＳＴ２２〜ＳＴ２４）。
【００５７】
そして、ステップＳＴ２４で判定した危険度が、ナビゲーション装置の第２の値（＝危険度２）以上かどうかを判定し、第２の値（＝危険度２）より大きい場合（ステップＳＴ２５のＹＥＳの場合）、案内地点までの距離があらかじめ定められた距離（ここでは、２００ｍとする）より遠いか否かを判定する（ステップＳＴ２６）。案内地点までの距離が２００ｍより遠い（あらかじめ定められた距離より大きい）場合、すなわち、危険度が高く、案内をしないと運転者に不都合が生じる可能性がある距離までに達していない状況（ステップＳＴ２６のＹＥＳの場合）では、制御部９は、ルート案内の報知を保留する（一時中止する）というルート案内方法に決定する（ステップＳＴ２７）。
【００５８】
一方、案内地点までの距離が２００ｍに達した（あらかじめ定められた距離以下の）場合、すなわち、危険度は高いが、案内としないと運転者に不都合が生じる可能性がある距離に達している状況（ステップＳＴ２６のＮＯの場合）では、制御部９は、ルート案内を音声のみで出力するというルート案内方法に決定する（ステップＳＴ２８）。
【００５９】
また、危険度がナビゲーション装置の第１の値（＝危険度０）より大きく、第２の値（＝危険度２）より小さいかどうかを判定し、第１の値（＝危険度０）より大きく、かつ、第２の値（＝危険度２）より小さい場合、すなわち、危険度がやや高い状況（ステップＳＴ２９のＹＥＳの場合）では、制御部９は、ルート案内を音声のみで行うルート案内方向に決定する（ステップＳＴ２８）。
【００６０】
一方、危険度が第１の値（＝危険度０）以下の場合、すなわち、危険度が高くない状況（ステップＳＴ２９のＮＯの場合）では、制御部９は、ルート案内を表示装置に表示するとともに、音声出力も行うというルート案内方法に決定する（ステップＳＴ３０）。
【００６１】
制御部９で決定したルート案内方法は、ルート案内処理部１２に通知される。
ルート案内処理部１２は、制御部９から通知されたルート案内方法に基づいて、ルート案内音声放置をする場合は、ルート案内音声データを音声出力部１４に送信する。また、ルート案内表示をする場合は、表示装置１５にルート案内表示データを送信する。
【００６２】
ルート案内報知完了後は、ルート案内報知が完了した旨を通知するルート案内報知完了トリガーを、トリガー受信部１１に対して通知する。
トリガー受信部１１は、トリガーを受信すると、制御部９に対してルート案内報知完了トリガーを受信したことを通知する。
【００６３】
制御部９は、ルート案内を保留中か否か判定する（ステップＳＴ３８）。前述の危険度の判定において、危険度が高くないか、危険度は高いが案内をしないと運転者に不都合が生じる可能性がある距離に達していた場合は、ルート案内を音声により出力、または、音声と表示により出力しているので（ステップＳＴ３８のＮＯの場合）、この処理は終了となる。一方、危険度が高く、案内をしないと運転者に不都合が生じる可能性がある距離まで達していない場合は、ルート案内を保留しているので（ステップＳＴ３８のＹＥＳの場合）、ステップＳＴ１１に戻って処理を繰り返す。
【００６４】
次に、制御部９がトリガー受信部１１から取得した通知距離が、ルート案内地点から５０ｍ手前の案内の場合（ステップＳＴ１１はＮＯ、ステップＳＴ２１もＮＯ、ステップＳＴ３１はＹＥＳの場合）についても、まずは前述のステップＳＴ１２〜ＳＴ１４と同じ処理を行う（ステップＳＴ３２〜ＳＴ３４）。
【００６５】
そして、ステップＳＴ３４で判定した危険度が、ナビゲーション装置の第１の値（＝危険度０）より大きいか否かを判定し、第１の値（＝危険度０）より大きい場合（ステップＳＴ３５のＹＥＳの場合）には、危険度は高いが、案内をしないと運転者に不都合が生じる可能性があるため、制御部９は、ルート案内を音声のみで出力するというルート案内方法に決定する（ステップＳＴ３６）。
【００６６】
すなわち、案内地点から５０ｍ手前のルート案内では、危険な状況であっても、ルート案内をしないと運転者に不都合が生じる可能性があるため、ルート案内を保留せずに、音声によるルート案内を行うようにする。
【００６７】
一方、危険度が第１の値（＝危険度０）以下の場合、すなわち、危険度が高くない状況（ステップＳＴ３５のＮＯの場合）では、制御部９は、ルート案内を表示装置に表示するとともに、音声出力も行うというルート案内方法に決定する（ステップＳＴ３７）。
【００６８】
制御部９で決定したルート案内方法は、ルート案内処理部１２に通知される。
ルート案内処理部１２は、制御部９から通知されたルート案内方法に基づいて、ルート案内音声放置をする場合は、ルート案内音声データを音声出力部１４に送信する。また、ルート案内表示をする場合は、表示装置１５にルート案内表示データを送信する。
【００６９】
ルート案内報知完了後は、ルート案内報知が完了した旨を通知するルート案内報知完了トリガーを、トリガー受信部１１に対して通知する。
トリガー受信部１１は、トリガーを受信すると、制御部９に対してルート案内報知完了トリガーを受信したことを通知する。
【００７０】
制御部９は、ルート案内を保留中か否か判定する（ステップＳＴ３８）。この場合には、前述の危険度の判定において、危険度が高くないか、危険度は高いが案内をしないと運転者に不都合が生じる可能性がある距離に達しているかのいずれかであり、ルート案内を音声により出力、または、音声と表示により出力しているので（ステップＳＴ３８のＮＯの場合）、この処理は終了となる。
【００７１】
次に、ハンズフリー電話着信トリガーを受信した場合のハンズフリー電話着信処理について説明する。
ハンズフリー電話着信トリガーを受信した場合のハンズフリー電話着信処理（ステップＳＴ５）の詳細は、図６に示す。
【００７２】
まず初めに、制御部９は、周辺状況情報受信部５に周辺状況情報を取得させ、運転状況情報受信部６に運転状況情報を取得させる（ステップＳＴ４１〜ＳＴ４２）。そして、危険度判定部７は、周辺状況情報受信部５で算出された車両周辺状況情報と、運転状況情報受信部６で判定された運転状況情報とを組み合わせ、車両の速度等の自車両の運転状況と前方の対象物との距離状況等の周辺状況と、運転者の危険状況認識可否により、自車両に起こりうる危険度を判定する（ステップＳＴ４３）。
このステップＳＴ４１〜ＳＴ４３の処理については、図５に示したフローチャートのステップＳＴ１２〜ＳＴ１４と同じであるため、詳細な説明は省略する。
【００７３】
ステップＳＴ４３で判定した危険度は、制御部９に通知される。
制御部９は、取得した危険度に基づいて、ハンズフリー通話機器の報知態様、すなわち、着信の通知を行うか否かや、通話を許可するか否かを決定する。
この際、危険度の閾値としては、ハンズフリー通話機器の第１の値、第１の値より大きい第２の値を用いる。なお、ここでは、ハンズフリー通話機器の第１の値＝危険度３、ハンズフリー通話機器の第２の値＝危険度５（最も高い危険度）が設定されているものとして説明する。
【００７４】
そして、ステップＳＴ４３で判定した危険度が、ハンズフリー通話機器の第２の値（＝危険度５）かどうかを判定し、第２の値（＝危険度５）である場合（ステップＳＴ４４のＹＥＳの場合）、既に着信を通知しているか否かを判定する（ステップＳＴ４５）。なお、この場合の「着信を通知している」とは、通話中である場合と着信があって通知を行った場合とのどちらも含めることとする。
【００７５】
なお、ここでは第２の値（＝危険度５）を、最も高い危険度に設定しているため、ステップＳＴ４４において、第２の値（＝危険度５）であるか否かで判定しているが、第２の値以上であるか否かで判定し、第２の値以上である場合に、ステップＳＴ４５へ進むようにしてもよい。
【００７６】
既に着信を通知していない場合、すなわち、着信開始時に、非常に危険な状況であった場合（ステップＳＴ４５のＮＯの場合）、制御部９は、ハンズフリー電話の通話を不許可とし、着信があっても通知しない（着信非通知／通話不許可の）ハンズフリー電話の着信時の通知処理方法に決定する（ステップＳＴ４６）。
【００７７】
制御部９で決定したハンズフリー電話着信通知処理方法は、ハンズフリー電話処理部１３に通知される。
ハンズフリー電話処理部１３は、ハンズフリー電話の着信通知も通話許可もしないため、音声出力部１４および表示装置１５にはデータ送信を行わない。
【００７８】
そして、ハンズフリー電話処理部１３は、着信が継続中か否かを判定し、継続中の場合（ステップＳＴ４７のＹＥＳの場合）、ステップＳＴ４１に戻って処理を繰り返す。一方、着信が途切れた（終了した）場合（ステップＳＴ４７のＮＯの場合）は、周辺状況と運転状況を取得し（ステップＳＴ４８〜ＳＴ４９）、危険度を判定する（ステップＳＴ５０）。その後、判定した危険度がハンズフリー通話機器の第２の値（＝危険度５）よりも小さくなったか否かを判定し（ステップＳＴ５１）、危険度が第２の値（＝危険後５）のままである場合（ステップＳＴ５１のＮＯの場合）は、ステップＳＴ４８からの処理を繰り返し、危険度が第２の値（＝危険度５）より小さくなるのを待ってから（ステップＳＴ５１のＹＥＳの場合）、着信があった旨（不在着信）を通知する不在着信通知データを音声出力部１４および表示装置１５に通知する。
【００７９】
音声出力部１４は、車載スピーカ２０から不在着信通知データを出力させ、表示装置１５は、不在着信通知データを表示する（ステップＳＴ５２）。
不在着信通知後は、ハンズフリー電話終了トリガーを、ハンズフリー電話処理部１３からトリガー受信部１１に対して通知する。トリガー受信部１１は、トリガーを受信すると、制御部９に対してハンズフリー電話終了トリガーを受信したことを通知する。
【００８０】
一方、ステップＳＴ４５において、既に着信を通知していた場合、すなわち、既に通話中や着信があって通知を行った状態で、非常に危険な状態となった場合（ステップＳＴ４５のＮＯの場合）、制御部９は、ハンズフリー電話の通話を不許可とし、着信があるが、危険状態のため通話ができない旨を報知させる（着信通知／通話不許可の）ハンズフリー電話の着信時の通知処理方法に決定する（ステップＳＴ５３）。なお、通話不許可とは、通話を切ることではなく、通話を切っても切らずに保留としてもよい。この実施の形態１では、不許可の場合、通話を切らずに保留として処理をしている。
【００８１】
制御部９で決定したハンズフリー電話着信通知処理方法は、ハンズフリー電話処理部１３に通知される。
ハンズフリー電話処理部１３は、制御部９から通知されたハンズフリー電話着信通知処理方法に基づいて、危険な状況での運転中のため、通話を許可できない旨の案内音声データである通話不許可報知データを、車内スピーカ２０と着信相手に報知するために、音声出力部１４および接続中の携帯電話１６に送信する。
【００８２】
音声出力部１４は、ハンズフリー電話処理部１３から送信された音声データを、車載スピーカ２０から出力させ、接続中の携帯電話１６は、ハンズフリー電話処理部１３から送信された音声データを通話相手に送信する。車載スピーカ２０と接続中の携帯電話１６から音声データを出力後は、ステップＳＴ４１に戻って処理を繰り返す。
【００８３】
また、ステップＳＴ４４において、危険度がハンズフリー通話機器の第２の値（＝危険度５）ではない（すなわち、第２の値より小さい）場合（ステップＳＴ４４のＮＯの場合）、制御部９は、危険度が第１の値（＝危険度３）より大きく、第２の値（＝危険度５）より小さいかどうかを判定する（ステップＳＴ５４）。
【００８４】
危険度が、ハンズフリー通話機器の第１の値（＝危険度３）よりも大きく、かつ、第２の値（＝危険度５）よりも小さい場合（ステップＳＴ５４のＹＥＳの場合）には、最も高い危険度である第２の値（＝危険度５）よりは小さいが、危険度が高い状況のため、制御部９は、ハンズフリー電話の通話を不許可とし、着信がある旨と、危険状態のため通話ができない状態である旨を報知させる（着信通知／通話不許可の）ハンズフリー電話の着信時の通知処理方法に決定する（ステップＳＴ５３）。なお、通話不許可とは、通話を切ることではなく、通話を切っても切らずに保留としてもよい。この実施の形態１では、不許可の場合、通話を切らずに保留として処理をしている。
【００８５】
制御部９で決定したハンズフリー電話着信通知処理方法は、ハンズフリー電話処理部１３に通知される。
ハンズフリー電話処理部１３は、制御部９から通知されたハンズフリー電話着信通知処理方法に基づいて、危険な状況での運転中のため、通話を許可できない旨の案内音声データである通話不許可報知データを、車内スピーカ２０と着信相手に報知するために、音声出力部１４および接続中の携帯電話１６に送信する。
【００８６】
音声出力部１４は、ハンズフリー電話処理部１３から送信された音声データを、車載スピーカ２０から出力させ、接続中の携帯電話１６は、ハンズフリー電話処理部１３から送信された音声データを通話相手に送信する。車載スピーカ２０と接続中の携帯電話１６から音声データを出力後は、ステップＳＴ４１に戻って処理を繰り返す。
【００８７】
一方、危険度が、ハンズフリー通話機器の第１の値（＝危険度３）以下の場合、すなわち、ハンズフリー電話をするにあたり、危険度が高くない状況（ステップＳＴ５４のＮＯの場合）では、制御部９は、ハンズフリー電話の通話を許可し、着信音を報知させる（着信通知／通話許可の）ハンズフリー電話の着信時の通知処理方法に決定する（ステップＳＴ５５）。
【００８８】
制御部９で決定したハンズフリー電話着信通知処理方法は、ハンズフリー電話処理部１３に通知される。
ハンズフリー電話処理部１３は、制御部９から通知されたハンズフリー電話着信通知処理方法に基づいて、通常のハンズフリー電話着信処理を行い、着信音声データおよび受信音声データを音声出力部１４に送信し、ハンズフリー電話着信中画面や通話中画面データを表示装置１５に送信する。
【００８９】
音声出力部１４は、ハンズフリー電話処理部１３から送信された着信音声データおよび受信音声データを、車載スピーカ２０から出力させ、表示装置１５は、ハンズフリー電話着信中画面や通話中画面データを表示する。
ハンズフリー電話の着信終了後は、ハンズフリー電話終了トリガーを、ハンズフリー電話処理部１３からトリガー受信部１１に対して通知する。トリガー受信部１１は、トリガーを受信すると、制御部９に対してハンズフリー電話終了トリガーを受信したことを通知する。
【００９０】
そして、制御部９は、ハンズフリー電話の通話が終了したか否かを判定する（ステップＳＴ５６）。ハンズフリー電話の通話を終了し、ハンズフリー電話終了トリガーの受信通知があった場合（ステップＳＴ５６のＹＥＳの場合）、ハンズフリー電話着信トリガーを受信した場合のハンズフリー電話着信処理は完了となる。
一方、ハンズフリー電話の着信中もしくは通話中で、ハンズフリー電話終了トリガーの受信通知がない場合（ステップＳＴ５６のＮＯの場合）は、ステップＳＴ４１に戻って、ハンズフリー電話の通話が終了するまで処理を繰り返す。
【００９１】
このように、図５に示すルート案内処理（図３のステップ４）または図６に示すハンズフリー電話着信処理（図３のステップＳＴ５）の処理が終了すると、車両の電源がＯＦＦとなったか否かを判定し（ステップＳＴ６）、車両の電源がＯＮのままなら（ステップＳＴ６のＮＯの場合）、再びステップＳＴ１に戻って、車両の電源がＯＦＦとなるまで処理を繰り返す。車両の電源がＯＦＦになると（ステップＳＴ６のＹＥＳの場合）、全処理を終了させる。
【００９２】
次に、この実施の形態１の処理内容の変化の一例として、ハンズフリー電話において、危険度の変化による処理内容の変化を、図７に示す。
図７に示すように、時間ｔ０〜ｔ１では、危険度が、ハンズフリー通話機器の第２の値（＝危険度５）の値であるため、このときにハンズフリー電話の着信があっても、着信は非通知、通話も不許可となる。
【００９３】
着信が継続したまま、時間ｔ１を超えたところで、危険度が４に変化したとする。図７に示すように、時間ｔ１〜ｔ２では、危険度が、第１の値（＝危険度３）より大きく、かつ、第２の値（＝危険度５）より小さいため、ハンズフリー電話の処理状態は、通話不許可であるが、着信があった旨を通知する。
【００９４】
そしてさらに、着信が継続したまま、時間ｔ２を超えたところで、危険度が３に変化したとする。図７に示すように、時間ｔ２〜ｔ３では、危険度が、第１の値（＝危険度３）以下のため、ハンズフリー電話の処理状態は、通話可能となり、通話音声をスピーカ２０から出力させる。
【００９５】
このように、危険度が変化すると、それに対応したハンズフリー電話着信処理を行い、着信が切れるか、通話が終了するまで繰り返す。
以上が、危険度の遷移によるハンズフリー電話着信処理内容の変化の一例である。
【００９６】
また、ルート案内時とハンズフリー通話時の危険度の閾値となる第１の値・第２の値、および、危険範囲・安全範囲の一例を、図８に示す。
前述の実施の形態１では、図８（ａ）に示すように、危険度は０から５までのいずれかに設定されているものとし、ナビゲーション装置の第１の値を危険度０、ナビゲーション装置の第２の値を危険度２、ハンズフリー通話機器の第１の値を危険度３、ハンズフリー通話機器の第２の値を危険度５として説明した。
【００９７】
この場合、ルート案内時に安全な状況であると判定される安全範囲は、危険度０のときのみであり、危険度１〜５のときは、ルート案内時に危険な状況であると判定される危険範囲である。また、ハンズフリー通話時に安全な状況であると判定される安全範囲は、危険度０〜３のときであり、危険度４〜５のときは、ハンズフリー通話時に危険な状況であると判定される危険範囲である。
【００９８】
一般的に、ハンズフリー通話時よりもルート案内時の方が、運転者はより運転に集中しなければいけない状況であると考えられるため、上記のように、ハンズフリー通話機器がナビゲーション装置よりも危険度が高い状況で使用可能であるように、それぞれの報知機器の第１の値および第２の値を設定しておけばよい。そして、制御部９は、ハンズフリー通話機器がナビゲーション装置よりも危険度が高い状況で使用可能であるように、ハンズフリー通話機器の報知態様およびナビゲーション装置の報知態様を決定する。
【００９９】
なお、ナビゲーション装置の第１の値および第２の値と、ハンズフリー通話機器の第１の値および第２の値は、第２の値が第１の値よりも大きければ、他の値であってもよい。例えば、図８（ｂ）に示すように、ナビゲーション装置の第１の値を危険度０、ナビゲーション装置の第２の値を危険度２、ハンズフリー通話機器の第１の値を危険度０、ハンズフリー通話機器の第２の値を危険度５としてもよい。
【０１００】
以上のように、この実施の形態１によれば、車両周辺情報検知カメラと、センサで取得した車両周辺状況情報と、ドライバ視線検知カメラで取得した運転手の状況やＧＰＳレシーバとＣＡＮ情報から取得した車両状況からなる運転状況情報とを組み合わせ、車両周辺状況が危険な場合やその危険な状況を運転者が確認できていない場合におけるルート案内やハンズフリー通話において、安全であると判断できるタイミングで、ルート案内を報知したりハンズフリー通話を許可することができ、危険な状況では、運転操作に注力することができるので、より安全な運転支援を行うことができる。
【０１０１】
なお、本願発明はその発明の範囲内において、実施の形態の任意の構成要素の変形、もしくは実施の形態の任意の構成要素の省略が可能である。
【符号の説明】
【０１０２】
１  車両周辺検知カメラ部、２  センサ部、３  ドライバ視線検知カメラ部、４  車両状況通知部、５  周辺状況情報受信部、６  運転状況情報受信部、７  危険度判定部、８  危険度決定テーブル記憶部、９  制御部、１０  ＧＰＳレシーバ、１１  トリガー受信部、１２  ルート案内処理部、１３  ハンズフリー電話処理部、１４  音声出力部、１５  表示装置、１６  携帯電話、２０  スピーカ、１００  車載機器制御装置。
【図１】
2015169472.tif 000003
【図２】
2015169472.tif 000004
【図３】
2015169472.tif 000005
【図４】
2015169472.tif 000006
【図５】
2015169472.tif 000007
【図６】
2015169472.tif 000008
【図７】
2015169472.tif 000009
【図８】
2015169472.tif 000010